(57)【要約】【課題】便器の上面と当該局部洗浄装置の下面との間の隙間に汚れが残存しにくく、清潔な状態をより容易に維持することが可能な局部洗浄装置付便器を得る。【解決手段】ボウル６が形成されている便器本体１の上面１ａ上の、当該便器の上部開口６ａに対して着座時に臀部側の外方となる位置に局部洗浄装置１５を載設した局部洗浄装置付便器であって、前記局部洗浄装置１５の下面１５ｃと前記便器本体１の上面１ａのうち少なくともいずれか一方に撥水処理を施した。【選択図】図１
2007291674.tif 000002
【特許請求の範囲】
【請求項１】
ボウルが形成されている便器本体の上面上の、当該便器の上部開口に対して着座時に臀部側の外方となる位置に局部洗浄装置を載設した局部洗浄装置付便器であって、
前記局部洗浄装置の下面と前記便器本体の上面のうち少なくともいずれか一方に撥水処理を施したことを特徴とする局部洗浄装置付便器。
【請求項２】
前記便器本体の上面に、ボウルに近い側が下となる傾斜面を形成し、当該傾斜面上に局部洗浄装置を載設したことを特徴とする請求項１に記載の局部洗浄装置付便器。
【発明の詳細な説明】
【技術分野】
【０００１】
本発明は、局部洗浄装置付便器に関する。
【背景技術】
【０００２】
従来から知られている局部洗浄装置付便器として、局部洗浄装置が便器のボウルよりも後方の後端部上に載設されたものが知られている（例えば特許文献１）。
【特許文献１】特開２００１−２０３４５号公報
【発明の開示】
【発明が解決しようとする課題】
【０００３】
しかしながら、上記特許文献１にあっては、局部洗浄装置が載設された便器の上面と当該局部洗浄装置の下面との間に隙間が生じるため、隙間内に汚れが付着した場合に局部洗浄装置を取り外さなければ掃除ができず面倒であり、また、汚れが残存しやすいという問題があった。
【０００４】
そこで、本発明は、便器の上面と当該局部洗浄装置の下面との間の隙間に汚れが残存しにくく、清潔な状態をより容易に維持することが可能な局部洗浄装置付便器を得ることを目的とする。
【課題を解決するための手段】
【０００５】
請求項１の発明にあっては、ボウルが形成されている便器本体の上面上の、当該便器の上部開口に対して着座時に臀部側の外方となる位置に局部洗浄装置を載設した局部洗浄装置付便器であって、前記局部洗浄装置の下面と前記便器本体の上面のうち少なくともいずれか一方に撥水処理を施したことを特徴としている。
【０００６】
請求項２の発明にあっては、請求項１に記載の局部洗浄装置付便器であって、前記便器本体の上面に、ボウルに近い側が下となる傾斜面を形成し、当該傾斜面上に局部洗浄装置を載設したことを特徴としている。
【発明の効果】
【０００７】
本発明によれば、局部洗浄装置の下面と便器本体の上面のうち少なくともいずれか一方に撥水処理を施しているため、便器の上面と当該局部洗浄装置の下面との間の隙間に小便等の汚水が入り込んだとしても当該汚水をはじいて隙間内に付着しないようにすることができ、清潔な状態をより容易に維持することが可能となる。
【発明を実施するための最良の形態】
【０００８】
以下、本発明の実施形態について図面を参照しながら詳細に説明する。図１は、本実施形態にかかる局部洗浄装置付便器の分解斜視図、図２は、局部洗浄装置付便器の側面図、図３は、図２の領域Ｔの拡大側面図、図４は、局部洗浄装置の拡大断面図である。なお、以下では、便宜上、使用者が便座に着座した時の背面側を後方、正面側を前方と称することにする。
【０００９】
本実施形態における局部洗浄装置付便器は、図１に示すように、トイレの床面上に設置される樹脂製の便器本体（便器）１と、便器本体１の上面上に載設される局部洗浄装置１５と、局部洗浄装置１５に回動可能に取り付けられた便座２および便蓋４とを備えている。
【００１０】
便器本体１は、上方に開口したボウル部７と、ボウル部７の上端部に設けられ、便器本体１の上端部をなすリム部８と、外周壁をなすスカート部９とを備えている。これらボウル部７，リム部８，スカート部９は別体の成型品であり、溶着等することで一体化される。そして、これらが一体化されてなる便器本体１の内部には空洞が形成される。
【００１１】
リム部８はボウル部７の上側に装着され、これにより用を足すためのボウル６が形成されている。すなわち、リム部８は、ボウル６の周壁の上縁部をなすものである。
【００１２】
本実施形態では、リム部８は、上壁部８ａと、便器本体１上縁の外周壁をなす外側壁部８ｂと、下端部がボウル部７の内周壁部に溶着等される内側壁部８ｃと、を備えている。そして、リム部８の上壁部８ａは、便器本体１の上壁をなすものであり、その上面が便器本体１の上端面（上面）１ａとなっている。
【００１３】
便器本体１の上端面１ａは、図１および図２に示すように、ボウル６の開口部６ａの周囲で、略水平な平坦面状をした前部上端面１ｂと、前部上端面１ｂの後方で、後側程上方に位置するように傾斜させた傾斜面（ボウル６に近い側が下となる傾斜面）１ｃと、その傾斜面１ｃの後方で略水平な平坦面状をした後部上端面１ｄと、を備えている。
【００１４】
さらに本実施形態では、ボウル６の開口部６ａの周囲に位置する前部上端面１ｂを、開口部６ａ側が下、周縁側が上となるようにわずかに傾斜させるとともに、傾斜面１ｃを幅方向中央部から両外側縁部に向かうほど上方に位置するように傾斜させている。すなわち、前部上端面１ｂおよび傾斜面１ｃは、全体としては段差のない滑らかな緩斜面となるように形成され、これらの面上のどの地点もボウル６内に向かう下り勾配を有するように形成されている。
【００１５】
なお、ボウル部７の下端部には、後方に向けて排水管部（図示せず）が突設されており、この排水管部（図示せず）からターントラップ装置（図示せず）を介してボウル６内の溜水が排水されるようになっている。
【００１６】
また、ボウル部７の内周面には、図１に示すように、洗浄水の吐水孔１３と、ボウル部７の内面全体に洗浄水を供給する溝状の洗浄水流路１４とが形成されている。
【００１７】
スカート部９は、後方に開口する平面視Ｕ字状に形成されており、その上端縁は、リム部８の下端縁に接続されている。
【００１８】
本実施形態では、局部洗浄装置１５は、前部１５ａと後部１５ｂとを備えており、前部１５ａの内部には局部洗浄用のノズル１７や、当該ノズル１７を駆動させるための各種装置、制御回路等が設けられている。このノズル１７は、伸縮可能となるように構成されており、局部洗浄装置１５を便器本体１の所定位置に載設した状態で、ノズル孔１８を介してボウル６内に進出し、その先端部から水もしくは温水を吐出することで、使用者の局部を洗浄できるようになっている。
【００１９】
なお、前部１５ａの前壁部の中央部には、ノズル孔１８を開閉可能なシャッター部材１６が設けられており、使用時にのみ、伸長したノズル１７に押されてノズル孔１８を開放するようになっている。
【００２０】
本実施形態では、この局部洗浄装置１５が便器本体１の上面上の、当該便器の上部開口に対して着座時に臀部側の外方となる位置に載設されている。
【００２１】
具体的には、図２に示すように、局部洗浄装置１５を、後部１５ｂが後部上端面１ｄ上に、前部１５ａが傾斜面１ｃ上に位置するように配置し、その状態で局部洗浄装置１５を上端面１ａ上に設けられた図外のワッシャ等を用いて便器本体１に取り付けている。
【００２２】
このとき、前部１５ａの下面１５ｄの形状を傾斜面１ｃの形状に、後部１５ｂの下面１５ｅの形状を後部上端面１ｄの形状にそれぞれ対応させ、局部洗浄装置１５の下面１５ｃと便器本体１の上端面１ａとの間に形成される隙間Ｇの高さが略一定（図２において、便器本体１の上端面１ａの水平面Ｈとの傾斜角θ１と、局部洗浄装置１５の下面１５ｃの水平面Ｈとの傾斜角θ２とが略同一）となるようにしている。すなわち、後部１５ｂの下面１５ｅを略水平な平坦面状となるように形成するとともに、前部１５ａの下面１５ｄを傾斜させて下に凸をした曲面状となるように形成している。
【００２３】
さらに、本実施形態では、局部洗浄装置１５の下面１５ｃおよび便器本体１の上端面１ａに、例えばフッ素やシリコン等の撥水性材料を塗布するなどして撥水処理を施している。さらに、下面１５ｃおよび上端面１ａの表面をフラクタル構造（基材の表面に大きい周期の凹凸構造とその構造の中に小さい周期の凹凸構造を含む多段の凹凸構造）として、下面１５ｃおよび上端面１ａと液滴との接触角を大きくさせること、すなわち、これら表面の撥水性を高めることもできる。
【００２４】
また、本実施形態では、便座２および便蓋４の両側端部には、それぞれ局部洗浄装置１５に取り付けるための取付部３，３および取付部５，５が形成されている。そして、便座２の取付部３，３に設けられた貫通穴（図示せず）の外側から便蓋４の取付部５，５に突設させたピン（図示せず）を嵌め込み、貫通穴（図示せず）の内側から局部洗浄装置１５の両側壁部の上側かつ後側に突設させたピン（図示せず）を嵌め込むことで便器本体１に便座２および便蓋４が回動可能に取り付けられている。すなわち、便座２および便蓋４は、便器本体１に同軸上で回動支持されている。
【００２５】
以上の本実施形態によれば、局部洗浄装置１５の下面１５ｃと便器本体１の上端面１ａとに撥水処理を施しているため、便器本体１の上端面１ａと局部洗浄装置１５の下面１５ｃとの間の隙間Ｇに小便等の汚水（水滴Ｄ）が入り込んだとしても当該汚水をはじいて隙間Ｇの内部に付着しないようにすることができ、清潔な状態をより容易に維持することが可能となる。
【００２６】
また、本実施形態によれば、ボウル６の開口部６ａの後方に後側程上方に位置するように傾斜させた傾斜面１ｃを設け、当該傾斜面１ｃ上に局部洗浄装置１５を載設させたため、隙間Ｇに入り込んだ汚水（水滴Ｄ）が、その自重によって隙間Ｇ内の斜面を伝ってボウル６に向かって転がり落ちるようにすることができる。その結果、隙間Ｇの内部に汚れを付着させないようにすることができ、清潔な状態をより容易に維持することが可能となる。さらに、局部洗浄装置１５の下面１５ｃと便器本体１の上端面１ａに撥水処理を施しているため、より効果的に清潔な状態を維持することができる。
【００２７】
また、前部上端面１ｂを、開口部６ａ側が下、周縁側が上となるようにわずかに傾斜させるとともに、傾斜面１ｃを幅方向中央部から両外側縁部に向かうほど上方に位置するように傾斜させ、前部上端面１ｂおよび傾斜面１ｃを全体として段差のない滑らかな緩斜面となるように形成することで、これらの面上のどの地点もボウル６内に向かう下り勾配を有するようになり、汚水（水滴Ｄ）をより確実にボウル６に向かわせることができるという利点もある。
【００２８】
また、便座２および便蓋４を、同軸上で便器本体１に取り付けることで、便器本体１への取付部が複数ある場合に比べて構造が簡素化される上、便器本体１による直接的な回動支持部を１か所とすることができるため、汚れが溜まる箇所を減らすことができるという利点もある。
【００２９】
以上、本発明にかかる局部洗浄装置付便器の好適な実施形態について説明したが、本発明は上記実施形態に限ることなく要旨を逸脱しない範囲で種々の実施形態を採用することができる。
【００３０】
例えば、便器の上端面を傾斜のない水平面や湾曲等のないほぼ完全な平坦面として、その上に局部洗浄装置を載設し、便器の上端面や局部洗浄装置の下面に撥水処理を施してもよい。この場合、便器の上端面と局部洗浄装置の下面との間の隙間に汚水等が入り込んだとしても、当該隙間に水を流すことで汚水を取り除くことが可能となる。
【００３１】
また、上記実施形態においては、傾斜角θ１と、傾斜角θ２とを略同一にして、隙間の高さが一定となるようにしているが、傾斜角θ２を傾斜角θ１よりも大きくしてもよい。この場合、傾斜面の上部側ほど隙間が大きくなるため、傾斜面の上部側に汚れが溜まったり詰まったりするのを抑制できる。
【００３２】
また、局部洗浄装置付便器および局部洗浄装置の材質として樹脂を用いているが、例えばそれらの一部又は全部を陶器等の他の材質を用いて形成してもよい。
【００３３】
さらに、局部洗浄装置付便器および局部洗浄装置の形状は、種々の形状を取り得る。
【００３４】
また、上記実施形態においては、ターントラップ式便器について例示したが、サイフォン式便器としても本発明を実施することができる。
【図面の簡単な説明】
【００３５】
【図１】本発明の実施形態にかかる局部洗浄装置付便器の分解斜視図。
【図２】本発明の実施形態にかかる局部洗浄装置付便器の側面図。
【図３】図２の領域Ｔの拡大側面図。
【図４】本発明の実施形態にかかる局部洗浄装置の拡大断面図。
【符号の説明】
【００３６】
１  便器本体
１ａ  上端面（上面）
６  ボウル
６ａ  開口部（上部開口）
１５  局部洗浄装置
１５ｃ  下面
【図１】
2007291674.tif 000003
【図２】
2007291674.tif 000004
【図３】
2007291674.tif 000005
【図４】
2007291674.tif 000006